(57)【要約】【課題】刃体による怪我を防ぎ、かつ、切断操作が容易なテープカッタを提供する。【解決手段】支持台１と、ロール状粘着テープ40に嵌入するテープホルダ30と、粘着テープ40の引き出し部を切断する刃体２と、支持台１に上方の枢着部33にて前後揺動自在に枢着されると共に枢着部33の下方にテープホルダ30を回転自在に保持する揺動アーム部材５と、刃体２の前面側に上下移動自在に配設されると共に粘着テープ40の未引き出し状態において刃体２の上端縁部２ａよりも上方へ突出状となるガード片７と、ガード片７を上方向に常時弾発付勢する引上用弾発部材10と、揺動アーム部材５の前方への揺動に連動すると共に未引き出し状態においてガード片７の下降を規制するストッパ機構８と、を備える。【選択図】図１
2007297175.tif 000002
【特許請求の範囲】
【請求項１】
支持台（１）と、ロール状粘着テープ（40）に嵌入するテープホルダ（30）と、該支持台（１）の前部に固設されて該粘着テープ（40）の引き出し部を切断する刃体（２）と、該支持台（１）に上方の枢着部（33）にて前後揺動自在に枢着されると共に該枢着部（33）の下方に該テープホルダ（30）を回転自在に保持する揺動アーム部材（５）と、該刃体（２）の前面側に上下移動自在に配設されると共に上記粘着テープ（40）の未引き出し状態において該刃体（２）の上端縁部（２ａ）よりも上方へ突出状となるガード片（７）と、該ガード片（７）を上方向に常時弾発付勢する引上用弾発部材（10）と、上記揺動アーム部材（５）の前方への揺動に連動すると共に上記未引き出し状態において上記ガード片（７）の下降を規制するストッパ機構（８）と、を備え、
さらに、該ストッパ機構（８）は、上記粘着テープ（40）を引き出すことによる上記揺動アーム部材（５）の前方への揺動に伴って上記ガード片（７）の規制を解除するように構成されていることを特徴とするテープカッタ。
【請求項２】
上記刃体（２）の後方近傍に配設されると共に左右方向の軸心廻りに回動自在であるローラ部（９）を備え、上記刃体（２）によって切断された上記粘着テープ（40）の先端部（40ａ）が粘着力にて付着するように構成した請求項１記載のテープカッタ。
【請求項３】
上記刃体（２）は、後方下傾状となるように固設され、
上記ガード片（７）は、板状であり、上方に向かって厚みが漸減すると共に上記刃体（２）に沿ったテーパ面（17）を上端に有している請求項１又は２記載のテープカッタ。
【請求項４】
上記支持台（１）は、底壁部（３）と、該底壁部（３）に立設された左右一対の立上壁部 (４)(４) と、を有し、
各上記立上壁部（４）の前部内面側には、上下方向のガイド溝部（18）が設けられ、    上記ガード片（７）の左右端部が、夫々、該ガイド溝部（18）に嵌め込まれている請求項１，２又は３記載のテープカッタ。
【請求項５】
各上記立上壁部（４）の内面側には、上方開放状で上下方向の帯溝部（11）が形成され、
上記揺動アーム部材（５）は、該帯溝部（11）に遊嵌状に嵌め込まれて該帯溝部（11）を形成する溝底壁（12）に枢着される帯板部（13）と、該帯板部（13）に設けられると共に上記テープホルダ（30）の取付軸(31)が嵌め込まれるスリット（14）と、を有し、
該スリット（14）は、上記帯板部（13）を上記帯溝部（11）へ嵌め込んだ状態において上方から上記テープホルダ（30）の上記取付軸（31）を嵌め込み可能となるように後方上傾状に形成され、
さらに、上記帯溝部（11）を形成する溝前壁（15）と溝後壁（16）にて、上記帯板部（13）の揺動を所定範囲に制限するように構成した請求項４記載のテープカッタ。
【請求項６】
上記揺動アーム部材（５）は、下端部に被押当部（19）を有し、  
上記ストッパ機構（８）は、前後移動自在に支持されると共に後端部（20ａ）にて該揺動アーム部材（５）の上記被押当部（19）を押し当て可能な棒体（20）と、該棒体（20）を後方へ弾発付勢する弾発部材（21）と、該棒体（20）の前端部に外嵌状に取り付けられると共に上記粘着テープ（40）の上記未引き出し状態において上記ガード片（７）の下端を支持するストッパ部材（23）と、を有する請求項１，２，３，４又は５記載のテープカッタ。
【発明の詳細な説明】
【技術分野】
【０００１】
本発明は、テープカッタに関する。
【背景技術】
【０００２】
従来、支持台と、ロール状粘着テープに嵌入するテープホルダと、支持台の前部に固設されて粘着テープの引き出し部を切断する刃体と、を備えたテープカッタが知られている（例えば、特許文献１参照）。
特許文献１のような従来のテープカッタでは、粘着テープを引き出して鋸刃状の刃体に上方から押しつけることにより、引き出し部の切断を行い得るようになっている。
【特許文献１】特開２００３−９５５２４号公報
【発明の開示】
【発明が解決しようとする課題】
【０００３】
しかしながら、従来のテープカッタでは、鋸刃状の刃体が外部に剥き出しになっており、しかも上向きになっていたため、比較的スペースの狭いテーブル等に載置して使用する場合、不測に刃体に人の手指が触れ、怪我をする危険性が高かった。
そこで、本発明は、刃体による怪我を防ぎ、かつ、切断操作が容易なテープカッタを提供することを目的とする。
【課題を解決するための手段】
【０００４】
上記の目的を達成するために、本発明に係るテープカッタは、支持台と、ロール状粘着テープに嵌入するテープホルダと、該支持台の前部に固設されて該粘着テープの引き出し部を切断する刃体と、該支持台に上方の枢着部にて前後揺動自在に枢着されると共に該枢着部の下方に該テープホルダを回転自在に保持する揺動アーム部材と、該刃体の前面側に上下移動自在に配設されると共に上記粘着テープの未引き出し状態において該刃体の上端縁部よりも上方へ突出状となるガード片と、該ガード片を上方向に常時弾発付勢する引上用弾発部材と、上記揺動アーム部材の前方への揺動に連動すると共に上記未引き出し状態において上記ガード片の下降を規制するストッパ機構と、を備え、さらに、該ストッパ機構は、上記粘着テープを引き出すことによる上記揺動アーム部材の前方への揺動に伴って上記ガード片の規制を解除するように構成されている。
また、上記刃体の後方近傍に配設されると共に左右方向の軸心廻りに回動自在であるローラ部を備え、上記刃体によって切断された上記粘着テープの先端部が粘着力にて付着するように構成した。
【０００５】
また、上記刃体は、後方下傾状となるように固設され、上記ガード片は、板状であり、上方に向かって厚みが漸減すると共に上記刃体に沿ったテーパ面を上端に有している。
また、上記支持台は、底壁部と、該底壁部に立設された左右一対の立上壁部と、を有し、各上記立上壁部の前部内面側には、上下方向のガイド溝部が設けられ、上記ガード片の左右端部が、夫々、該ガイド溝部に嵌め込まれている。
また、各上記立上壁部の内面側には、上方開放状で上下方向の帯溝部が形成され、上記揺動アーム部材は、該帯溝部に遊嵌状に嵌め込まれて該帯溝部を形成する溝底壁に枢着される帯板部と、該帯板部に設けられると共に上記テープホルダの取付軸が嵌め込まれるスリットと、を有し、該スリットは、上記帯板部を上記帯溝部へ嵌め込んだ状態において上方から上記テープホルダの上記取付軸を嵌め込み可能となるように後方上傾状に形成され、さらに、上記帯溝部を形成する溝前壁と溝後壁にて、上記帯板部の揺動を所定範囲に制限するように構成した。
【０００６】
また、上記揺動アーム部材は、下端部に被押当部を有し、上記ストッパ機構は、前後移動自在に支持されると共に後端部にて該揺動アーム部材の上記被押当部を押し当て可能な棒体と、該棒体を後方へ弾発付勢する弾発部材と、該棒体の前端部に外嵌状に取り付けられると共に上記粘着テープの上記未引き出し状態において上記ガード片の下端を支持するストッパ部材と、を有する。
【発明の効果】
【０００７】
本発明は、次のような著大な効果を奏する。
本発明に係るテープカッタは、粘着テープの未引き出し状態において刃体付近に人の身体の一部（手指）が触れても怪我をしないようにでき、安全なテープカッタとし得る。また、この状態においてガード片の上端に下方への力を加えてもガード片が下降しないので、確実に怪我を防止し得る。
また、粘着テープの引き出しを行うだけで、自動的にガード片の規制を解除できる。これにより、粘着テープの引き出しと刃体による切断を連続的に行うことができるので、切断操作が容易である。
また、粘着テープの引き出し部を切断した後は、ガード片をすぐに自動的に上昇させて、刃体の上端縁部を隠すことができる。
また、ローラ部は回動自在であるので、粘着テープの引き出し部の切断後、残った粘着テープの先端部がローラ部に粘着力にて付着している場合に、後方へ揺動しようとする揺動アーム部材の動きを妨げないようにできる。
また、粘着テープの引き出し部を切断した後には、自動的にストッパ部材をガード片の下側に持ってきてガード片の下降を規制できるので、切断操作が容易である。
【発明を実施するための最良の形態】
【０００８】
以下、実施の形態を示す図面に基づき、本発明を詳説する。
図１〜図６に於て、本発明の実施の一形態に係るテープカッタは、支持台１と、ロール状粘着テープ40に嵌入するテープホルダ30と、支持台１の前部に固設されて粘着テープ40の引き出し部を切断する刃体２と、支持台１に上方の枢着部33にて前後揺動自在に枢着される揺動アーム部材５と、刃体２の前面側に上下移動自在に配設されるガード片７と、ガード片７を上方向に常時弾発付勢する引上用弾発部材10と、揺動アーム部材５の前方への揺動に連動すると共に未引き出し状態においてガード片７の下降を規制するストッパ機構８と、を備えている。なお、本発明において「粘着テープ40を引き出す」とは、粘着テープ40の先端部40ａを刃体２よりも前方に引き出すことをいう。従って、「粘着テープ40の未引き出し状態」とは、粘着テープ40の先端部40ａが、刃体２よりも後方にある状態をいう。
【０００９】
支持台１は、底壁部３と、底壁部３に立設された左右一対の立上壁部４，４と、支持台１の前部かつ左右の立上壁部４，４間に設けられた後方下傾状の前壁部６と、を有している。
各立上壁部４の前部内面側には、上下方向のガイド溝部18が設けられている。また、各立上壁部４の内面側には、上方開放状で上下方向の帯溝部11が形成されている。
帯溝部11を形成する溝前壁15は、僅かに後方上傾状となっている。また、帯溝部11を形成する溝後壁16は、鉛直状となっている
また、底壁部３の上面側であって立上壁部４のガイド溝部18に対応する位置には、左右方向の刃交換用溝27が形成されている。
テープホルダ30は、ロール状粘着テープ40の内周面に接触する接触部25をその両端部に有する柱形状となっている。テープホルダ30の中心部には、取付軸31が設けられている。  刃体２は、矩形状であり直線状の刃となった上端縁２ａを有している。また、刃体２は、孔部22を有している。この孔部22を介して前壁部６に設けられたねじ孔24にボルト等の固着具28を取り付けることによって、刃体２は、着脱自在かつ後方下傾状となるように固設されている。この刃体２は、固着具28を緩めて新しいものに交換可能とされている。
【００１０】
刃体２の後方近傍には、ローラ部９が配設されている。このローラ部９は、円筒パイプ状となっており、左右端部が、夫々立上壁部４に取り付けられて、左右方向の軸心廻りに回動自在となっている。また、ローラ部９は、刃体２によって切断された粘着テープ40の先端部40ａが粘着力にて付着するように構成されている。
【００１１】
ここで、本実施形態では、揺動アーム部材５は、枢着部33の下方にテープホルダ30を回転自在に保持するようになっている。具体的に説明すると、この揺動アーム部材５は、帯溝部11に遊嵌状に嵌め込まれて帯溝部11を形成する溝底壁12に枢着される左右一対の帯板部13，13と、各帯板部13に設けられると共にテープホルダ30の取付軸31が嵌め込まれるスリット14と、下端部に設けられると共に左右の帯板部13，13同士を連結する被押当部19と、を有している。
帯板部13の帯溝部11への嵌め込み状態では、帯溝部11を形成する溝前壁15と溝後壁16にて、帯板部13の揺動が所定範囲に制限されるようになっている。
【００１２】
スリット14は、帯板部13の中央寄りに設けられている。このスリット14は、帯板部13を帯溝部11へ嵌め込んだ状態において上方からテープホルダ30の取付軸31を嵌め込み可能となるように後方上傾状に形成されている。なお、スリット14にテープホルダ30の取付軸31を嵌め込んだ状態では、枢着部33と被押当部19とを結ぶと共に帯板部13の長手方向となる仮想線Ｇ上に、取付軸31が位置するようになっている。
上述の揺動アーム部材５は、粘着テープ40の未引き出し状態では、テープホルダ30や粘着テープ40の重さにより、その長手方向が自然と鉛直方向となるようになっている。また、この状態では、鉛直状の溝後壁16により、揺動アーム部材５は、後方への揺動が規制される。
【００１３】
ガード片７は、略矩形板状であり、上方に向かって厚みが漸減すると共に刃体２に沿ったテーパ面17を上端に有している。このガード片７は、上部に貫通状で上下方向の長孔29を有している。また、ガード片７は、下端に上下に長い切欠部26を有している。この切欠部26は、ストッパ機構８のストッパ部材23（詳細は後述）の外径よりも幅Ｗ（図５（Ａ）参照）が小さく形成されている。また、ガード片７は、ストッパ機構８の棒体20（詳細は後述）の外径よりも幅Ｗが大きく形成されている。
また、ガード片７の左右端部は、夫々、立上壁部４のガイド溝部18に嵌め込まれている。これによって、ガード片７は、ガイド溝部18に沿って上下移動自在となっている。
ガード片７は、粘着テープ40の未引き出し状態において、引上用弾発部材10の上方向の弾発付勢力により、ガイド溝部18の上端に当接した状態で保持されるようになっている。この状態では、ガード片７は、刃体２の上端縁部２ａよりも上方へ突出状となっている。  また、ガード片７は、引上用弾発部材10の上方への弾発付勢力に抗して下方へ移動させることにより、刃体２の上端縁部２ａよりも下方へ下げ得るようになっている。
なお、ガード片７を刃交換用溝27に嵌め込むまで下降させた場合には、刃体２全体がガード片７の上端よりも上方に露出して、刃体２の交換が容易にできるようになっている。
【００１４】
引上用弾発部材10は、コイルスプリングであり、鉛直方向のガード片７と、後方下傾状の支持台１の前壁部６との間に配設されている。また、引上用弾発部材10は、上端が前壁部６に固着され、下端がガード片７に固着されている。
【００１５】
次に、ストッパ機構８は、粘着テープ40を引き出すことによる揺動アーム部材５の前方への揺動に伴ってガード片７の規制を解除するように構成されている。
具体的に説明すると、ストッパ機構８は、前後移動自在に支持されると共に後端部20ａにて揺動アーム部材５の被押当部19を押し当て可能な棒体20と、棒体20を後方へ弾発付勢する弾発部材21と、棒体20の前端部に外嵌状に取り付けられると共に粘着テープ40の未引き出し状態においてガード片７の下端を支持するストッパ部材23と、を有している。
棒体20は、支持台１の上面に突設された前後一対の支持部材32，32の孔部34，34に挿通状とされて、支持されている。ガード片７と棒体20とを通る鉛直線上には、ガード片７の切欠部26が位置している。
また、棒体20の後端部20ａは、傘状となっている。この後端部20ａは、粘着テープ40の未引き出し状態において、揺動アーム部材５の被押当部19に押し当てられ、揺動アーム部材５の帯板部13を溝後壁16に押し付けるようになっている。
【００１６】
弾発部材21は、コイルスプリングである。この弾発部材21は、棒体20に外嵌状とされている。また、弾発部材21は、後側の支持部材32ｂと、支持部材32，32に支持された棒体20の後端部20ａとの間に配設されている。
ストッパ部材23は、リング状に形成されている。このストッパ部材23は、支持部材32，32に支持された棒体20において、前側の支持部材32ａよりも前方に取り付けられている。これにより、ストッパ部材23は、後方へ弾発付勢されている棒体20が支持部材32，32から抜け出ないように、棒体20の移動範囲を規制している。
また、ストッパ部材23は、棒体20の前後への移動に伴って移動するが、粘着テープ40の未引き出し状態では、ガード片７の下側に位置するようになっている。また、未引き出し状態の位置から棒体20を前方に移動させると、ストッパ部材23は、ガード片７の下側よりも前方に移動するようになっている。
【００１７】
次に、図１及び図３〜図６を参照して、本発明の実施の一形態に係るテープカッタの作動について説明する。
まず、図１は、粘着テープ40の未引き出し状態を示している。この状態では、ガード片７が、引上用弾発部材10の上方向の弾発付勢力により、刃体２の上端縁部２ａよりも上方へ突出状となっている。
また、ローラ部９には、粘着テープ40の先端部40ａが粘着力にて付着している。
また、揺動アーム部材５は、ストッパ機構８の棒体20の後端部20ａが被押当部19に押し当てられることによって、溝後壁16に押し付けられている。
また、ストッパ機構８のストッパ部材23は、ガード片７の下端に位置して、ガード片７の下降を規制している。より詳しくは、ガード片７には、ストッパ機構８のストッパ部材23の外径よりも幅の小さな切欠部26が、ガード片７と棒体20とを通る鉛直線上に形成されているので、図５（Ａ）に示すように、ストッパ部材23の上端が切欠部26の開口端に僅かに食い込んだ状態にて、ストッパ部材23は、ガード片７の下降を規制している。つまり、この状態では、ガード片７の下端縁７ａは、ストッパ部材23の略上端位置にある。
【００１８】
次に、図３に示すように、粘着テープ40の先端部40ａを持って、粘着テープ40を引き出す（図３の矢印Ａ方向）。すると、揺動アーム部材５は、粘着テープ40を引っ張る力によって、前方へ揺動する（図３の矢印Ｂ方向）。この粘着テープ40の引き出し中、揺動アーム部材５は、溝前壁15によって、最大でも所定の揺動角度θだけ前方へ傾いた状態に規制される。即ち、粘着テープ40の引き出し中、揺動アーム部材５の帯板部13の側面が溝前壁15に当接することによって、揺動アーム部材５の揺動が規制される。
揺動アーム部材５が前方へ揺動すると、それと共に、揺動アーム部材５の被押当部19は、弾発部材21の後方への弾発付勢力に抗して、ストッパ機構８の棒体20を前方に移動させる（図３の矢印Ｃ方向）。すると、ストッパ機構８のストッパ部材23が、ガード片７の下側よりも前方に移動して、ガード片７の規制が解除される。即ち、粘着テープ40を引き出すことによる揺動アーム部材５の前方への揺動に伴って、ガード片７の規制が解除される。
【００１９】
次に、図４に示すように、粘着テープ40の引き出し部41（粘着テープ40において刃体２よりも前側の部分）を下方に引っ張る。すると、引き出し部41の下面側がガード片７の上端に当接する。そして、この状態からさらに引上用弾発部材10の弾発付勢力に抗して引き出し部41を下方に引っ張ると、ガード片７が下降する。
ここで、図５（Ｂ）に示すように、ガード片７には、ストッパ機構８の棒体20の外径よりも幅の大きな切欠部26が、ガード片７と棒体20とを通る鉛直線上に形成されているので、ガード片７をある程度以上下降させると、切欠部26が棒体20に差し込み状となる。即ち、ガード片７の下端縁７ａよりも上方の位置に棒体20が位置するようになる。従って、切欠部26を設けない場合と比較して、ガード片７をより大きく下降させることができるようになっている。
また、図４に示すように、ガード片７が下降すると、それに伴い、刃体２の上端縁部２ａがガード片７の上端よりも上方に突出して、粘着テープ40の引き出し部41の後端が切断される。この切断は、ガード片７に切欠部26が設けられていることによって刃体２が大きく露出するので、スムーズに行われる。また、切断の際には、ローラ部９が刃体２の後方近傍に配設されているので、粘着テープ40を刃体２とローラ部９との２点で支持することができるようになっている。
【００２０】
引き出し部41の後端が切断されると、それまで図４のように、引き出し部41の下面側にて下降させられていたガード片７は、開放されて、引上用弾発部材10の弾発付勢力により上昇（図６（Ａ）の矢印Ｆ方向）し、刃体２の上端縁部２ａよりも上方に突出状となる。  一方、刃体２によって切断されて残った粘着テープ40の先端部40ａは、前方へ引っ張られなくなる。また、この先端部40ａは、ローラ部９に粘着力にて付着する。
ここで、ローラ部９は回動自在であるので、図６（Ａ）の矢印Ｈ方向に僅かに回転することによって、ローラ部９に付着した粘着テープ40の先端部40ａを、スムーズに後方（図６（Ａ）の矢印Ｇ方向）に送ることができる。従って、揺動アーム部材５は、弾発部材21の弾発付勢力や、テープホルダ30，粘着テープ40の重さにより、後方へスムーズに揺動する。そして、図１及び図６（Ｂ）の未引き出し状態の位置に戻る。
【００２１】
なお、本発明は、上述の実施の形態に限定されず、本発明の要旨を逸脱しない範囲で設計変更可能である。例えば、本実施形態では、ストッパ機構８は、棒体20と、棒体20を後方へ弾発付勢する弾発部材21と、棒体20の前端部に外嵌状に取り付けられるストッパ部材23と、を有する場合を例示したが、本発明はこれに限らない。例えば、ストッパ機構として、ガード片と揺動アーム部材とをワイヤー及び滑車を介して連結し、連動するように構成するも好ましい。
【００２２】
以上のように、本発明に係るテープカッタは、支持台１と、ロール状粘着テープ40に嵌入するテープホルダ30と、支持台１の前部に固設されて粘着テープ40の引き出し部を切断する刃体２と、支持台１に上方の枢着部33にて前後揺動自在に枢着されると共に枢着部33の下方にテープホルダ30を回転自在に保持する揺動アーム部材５と、刃体２の前面側に上下移動自在に配設されると共に粘着テープ40の未引き出し状態において刃体２の上端縁部２ａよりも上方へ突出状となるガード片７と、ガード片７を上方向に常時弾発付勢する引上用弾発部材10と、揺動アーム部材５の前方への揺動に連動すると共に未引き出し状態においてガード片７の下降を規制するストッパ機構８と、を備え、さらに、ストッパ機構８は、粘着テープ40を引き出すことによる揺動アーム部材５の前方への揺動に伴ってガード片７の規制を解除するように構成されているので、粘着テープ40の未引き出し状態では、ガード片７にて刃体２の上端縁部２ａを隠すことができると共に、ストッパ機構８にてガード片７の下降を規制できる。これにより、粘着テープ40の未引き出し状態において刃体２付近に人の身体の一部（手指）が触れても怪我をしないようにでき、安全なテープカッタとし得る。また、この状態においてガード片７の上端に下方への力を加えてもガード片７が下降しないので、確実に怪我を防止し得る。
【００２３】
また、粘着テープ40の引き出しを行うだけで、自動的にガード片７の規制を解除でき、ガード片７の規制を解除するのに他の面倒な操作を必要としない。これにより、粘着テープ40の引き出しと刃体２による切断を連続的に行うことができるので、切断操作が容易である。
また、粘着テープ40の引き出し部41を切断した後は、ガード片７をすぐに自動的に上昇させて、刃体２の上端縁部２ａを隠すことができる。
【００２４】
また、刃体２の後方近傍に配設されると共に左右方向の軸心廻りに回動自在であるローラ部９を備え、刃体２によって切断された粘着テープ40の先端部40ａが粘着力にて付着するように構成したので、引き出された粘着テープ40を、刃体２とローラ部９との２点で支持することができる。これにより、安定してかつ確実に粘着テープ40の引き出し部41を切断することができる。また、引き出し部41の切断後に残った粘着テープ40の先端部40ａがローラ部９に付着するので、その先端部40ａ近傍の部分をつまみやすい状態にすることができる。これにより、次に粘着テープ40の引き出しを行う動作を容易にすることができる。
また、ローラ部９は回動自在であるので、粘着テープ40の引き出し部41の切断後、残った粘着テープ40の先端部40ａがローラ部９に粘着力にて付着している場合に、後方へ揺動しようとする揺動アーム部材５の動きを妨げないようにできる。これにより、引き出し部41の切断後に、揺動アーム部材５を容易に未引き出し状態の位置に戻すことができる。
【００２５】
また、刃体２は、後方下傾状となるように固設され、ガード片７は、板状であり、上方に向かって厚みが漸減すると共に刃体２に沿ったテーパ面17を上端に有しているので、粘着テープ40を引き出しつつ切断する動作をスムーズに行うことができる。また、ガード片７は、全体としては十分な厚みを有して剛性を高くしつつも上端は厚みを薄くして、粘着テープ40が上端に容易にくっつかないようにできる。これにより、粘着テープ40の引き出し部41の下面をガード片７の上端に当接させつつ下方に引っ張ってガード片７を下降させる際、粘着テープ40がガード片７の上端にくっつくことなく切断を容易に行い得る。
【００２６】
また、支持台１は、底壁部３と、底壁部３に立設された左右一対の立上壁部４，４と、を有し、各立上壁部４の前部内面側には、上下方向のガイド溝部18が設けられ、ガード片７の左右端部が、夫々、ガイド溝部18に嵌め込まれているので、ガード片７を安定してかつ確実に昇降させることができる。
【００２７】
また、各立上壁部４の内面側には、上方開放状で上下方向の帯溝部11が形成され、揺動アーム部材５は、帯溝部11に遊嵌状に嵌め込まれて帯溝部11を形成する溝底壁12に枢着される帯板部13と、帯板部13に設けられると共にテープホルダ30の取付軸31が嵌め込まれるスリット14と、を有し、スリット14は、帯板部13を帯溝部11へ嵌め込んだ状態において上方からテープホルダ30の取付軸31を嵌め込み可能となるように後方上傾状に形成され、さらに、帯溝部11を形成する溝前壁15と溝後壁16にて、帯板部13の揺動を所定範囲に制限するように構成したので、粘着テープ40の引き出し中に揺動アーム部材５を所定の揺動角度θに傾けたまま維持することができ、粘着テープ40の引き出しをスムーズにすることができる。また、揺動アーム部材５を支持台１から取り外すことなくテープホルダ30の着脱ができ、粘着テープ40の交換が容易である。
【００２８】
また、揺動アーム部材５は、下端部に被押当部19を有し、ストッパ機構８は、前後移動自在に支持されると共に後端部20ａにて揺動アーム部材５の被押当部19を押し当て可能な棒体20と、棒体20を後方へ弾発付勢する弾発部材21と、棒体20の前端部に外嵌状に取り付けられると共に粘着テープ40の未引き出し状態においてガード片７の下端を支持するストッパ部材23と、を有するので、粘着テープ40の未引き出し状態では、揺動アーム部材５の前方への揺動を弾発部材21の弾発付勢力で抑えることができ、ガード片７の下端の規制が不測に解除するのを防止できる。また、粘着テープ40の引き出し部41を切断した後には、棒体20の後端部20ａにて揺動アーム部材５の被押当部19を押し当てて、揺動アーム部材５を未引き出し状態の位置に戻し、さらに、自動的にストッパ部材23をガード片７の下側に持ってきてガード片７の下降を規制できるので、切断操作が容易である。
【図面の簡単な説明】
【００２９】
【図１】本発明の実施の一形態に係るテープカッタを示す断面側面図である。
【図２】分解斜視図である。
【図３】作動を説明するための断面側面図である。
【図４】作動を説明するための断面側面図である。
【図５】ストッパ機構に対するガード片の動きを示すための要部拡大正面図であって、（Ａ）はガード片を上昇させたときの要部拡大正面図、（Ｂ）はガード片を下降させたときの要部拡大正面図である。
【図６】ローラ部材の働きを説明するための要部拡大側面図であって、（Ａ）は粘着テープの引き出し部の切断直後を示す要部拡大側面図、（Ｂ）は切断後に未引き出し状態に戻った状態を示す要部拡大側面図である。
【符号の説明】
【００３０】
１  支持台
２  刃体
２ａ  上端縁部
３  底壁部
４  立上壁部
５  揺動アーム部材
７  ガード片
８  ストッパ機構
９  ローラ部
10  引上用弾発部材
11  帯溝部
12  溝底壁
13  帯板部
14  スリット
15  溝前壁
16  溝後壁
17  テーパ面
18  ガイド溝部
19  被押当部
20  棒体
20ａ  後端部
21  弾発部材
23  ストッパ部材
30  テープホルダ30
31  取付軸
33  枢着部
40  粘着テープ
40ａ  先端部
【図１】
2007297175.tif 000003
【図２】
2007297175.tif 000004
【図３】
2007297175.tif 000005
【図４】
2007297175.tif 000006
【図５】
2007297175.tif 000007
【図６】
2007297175.tif 000008